(57)【要約】【課題】  専用装置を使用せずに、エレベーター運行状況を初心者にも分かり易く表示し、かつ使い勝手仕様の変更ができるようにすること。【解決手段】  実際のエレベーター運行状況を一目で分かるように、少なくとも乗り場継続時間，利用人数，稼働台数の計測値を、１画面上にグラフ表示と共に表示することで、専用装置を使用しなくても現在・過去における運行状況の過程や使い勝手仕様の設定状況を“一目で見える”形で初心者にも分かり易くした。【選択図】図２
2007091354.tif 000002
【特許請求の範囲】
【請求項１】
エレベーター単体を制御し、エレベーターの運行データを格納するデータベースを有するエレベーター制御システムにおいて、インターネットにて標準的に用いられるドキュメントシステムであるＷＷＷによる情報送信機能を持ったＷＥＢサーバを有するエレベーター運行管理制御系と、前記ＷＥＢサーバと通信手段を介して接続され、かつ、前記ＷＥＢサーバによって運行データに基づいて生成した複数の計測結果等の画面データを表示するＷＥＢブラウザを備えるクライアント装置上に、エレベーター運行状況の表示や、使い勝手仕様の変更機能を有することを特徴とするエレベーター制御システム。
【請求項２】
請求項１において、前記運行データから生成した複数の計測結果中から、少なくともエレベーター運行状況を分析できる複数の計測結果を、１つの画面上に表示することを特徴とするエレベーター制御システム。
【請求項３】
請求項１において、前記運行データから生成した複数の計測結果中から、少なくとも乗り場呼び継続時間，利用人数，稼働台数の３つが１つの画面上に表示することを特徴とするエレベーター制御システム。
【請求項４】
請求項３において、前記稼働台数とは所定計測時間内における平均稼働台数が表示されることを特徴とするエレベーター制御システム。
【請求項５】
請求項３において、前記稼働台数とは所定計測時間内における最小稼働台数が表示されることを特徴とするエレベーター制御システム。
【請求項６】
請求項１において、前記運行データに基づいて生成した複数の計測結果を、少なくとも上り下り方向を合わせた全階床や１日の合計値または平均値として表示することを特徴とするエレベーター制御システム。
【請求項７】
請求項６において、前記運行データに基づいて生成した複数の計測結果から、指定項目に限定して表示することを特徴とするエレベーター制御システム。
【請求項８】
請求項７において、前記運行データに基づいて生成した複数の計測結果を、時間帯に並べて表示することを特徴とするエレベーター制御システム。
【請求項９】
請求項７において、前記運行データに基づいて生成した複数の計測結果を、日付順に並べて表示することを特徴とするエレベーター制御システム。
【請求項１０】
請求項１において、前記運行データに基づいて生成した複数の計測結果を、指定時間帯に限定して表示することを特徴とするエレベーター制御システム。
【請求項１１】
請求項１において、前記運行データに基づいて生成した複数の計測結果を、所定階に限定して表示することを特徴とするエレベーター制御システム。
【請求項１２】
請求項１において、前記画面データはアプリケーションに依存しないデータ、いわゆるＨＴＭＬ文書データを用いて作成されるため、テキストしか表示できない環境でも利用できることを特徴とするエレベーター制御システム。
【請求項１３】
請求項１２において、表を作るタグ、いわゆるテーブルタグを用いてキャラクタとキャラクタの色分けにてグラフ表示を可能としたことをことを特徴とするエレベーター制御システム。
【請求項１４】
請求項１３において、グラフ上における１マスのスケールを変更できることを特徴とするエレベーター制御システム。
【請求項１５】
請求項１３において、値表示を組み合わせたグラフが表示できることを特徴とするエレベーター制御システム。
【請求項１６】
請求項１３において、スケールオーバーが通常箇所と区別できることを特徴とするエレベーター制御システム。
【請求項１７】
請求項１２〜１６において、前記画面データの内容を印刷するときには、少なくとも原稿向き横のＡ４サイズ幅に印字領域が対応できる画面データを生成することを特徴とするエレベーター制御システム。
【請求項１８】
請求項６において、前記生成した複数の計測結果等の画面データをダウンロードしたときには、階床別の詳細な計測結果も含めてダウンロードできることを特徴とするエレベーター制御システム。
【請求項１９】
請求項１０において、所定時間経過しているときに１つ上の画面に戻る場合には、ダウンロードを促すことを特徴とするエレベーター制御システム。
【請求項２０】
請求項１において、指定の時間間隔に基づいてクライアント装置に自動的にダウンロードすることを特徴とするエレベーター制御システム。
【請求項２１】
請求項１の使い勝手仕様の変更できる項目において、少なくともユーザーとエレベーター保守会社にて優先度が設定できることを特徴とするエレベーター制御システム。
【請求項２２】
請求項１の使い勝手仕様の変更できる項目において、操作履歴の多い順に表示することを特徴とするエレベーター制御システム。
【請求項２３】
請求項１の使い勝手仕様の変更できる項目において、ビルの個性に合った項目を優先的に表示させること特徴とするエレベーター制御システム。
【請求項２４】
請求項２１〜２３において、少なくともエレベーター保守会社が設定変更した項目は、ユーザーには操作できない趣旨の明示をすることを特徴とするエレベーター制御システム。
【請求項２５】
請求項１〜２４において、エレベーター制御システムの取扱許可が認められた人のみに運行状況の表示や使い勝手仕様の変更できることを特徴とするエレベーター制御システム。
【請求項２６】
請求項２５において、エレベーター制御システムの取扱許可レベルに応じて、操作範囲を限定できることを特徴とするエレベーター制御システム。
【発明の詳細な説明】
【技術分野】
【０００１】
本発明は、エレベーターの運行状況を好適に表示するエレベーターの運行状況表示方法及びユーザーの多種多様な要求を実現する装置に関する。
【背景技術】
【０００２】
特公平０７−９８６２４号公報に開示されているように、エレベーター運行に対するユーザーの多様な要求を実現する群管理制御を提供するため、オフラインにて実現方法を探索する個性化支援装置の方法が開示されている。
【０００３】
特開２００４−２６４５０号公報では、運行サービス状況が悪化している否かを判定して、悪化していると判定した場合に発報信号を出力することが決定された場合、発報信号とともに統計結果を出力する発報信号出力手段を備えた方法が開示されている。
【０００４】
また特開２００４−１８９３５８号公報では、エレベーター制御装置から運行状況を受信するエレベーターの監視装置にてエレベーターの運行異常発生時に運行状況をモニター表示させて効率的に監視ができる方法等が開示されている。
【０００５】
【特許文献１】特公平０７−９８６２４号公報
【特許文献２】特開２００４−２６４５０号公報
【特許文献３】特開２００４−１８９３５８号公報
【発明の開示】
【発明が解決しようとする課題】
【０００６】
前述した従来技術では、エレベーター制御システムからの信号データを専用の変換装置を備える必要があり、表示するにはクライアント装置側に大半の機能を持たせることになるため、ソフトのインストールが必要であったり、バージョンアップ発生時等には手間と労力がかかっていた。
【課題を解決するための手段】
【０００７】
本発明による技術によれば、ＷＥＢ技術の応用により画面データ作成機能を製品側に集中させ、クライアント装置側ソフトのＷＥＢブラウザを利用することにより、前記のような保守作業の軽減やクライアント装置の交換・追加を容易に行うことができ、ユーザー要望に応じた運行状況を適正に評価し易いエレベーターの運行状況表示，使い勝手仕様の変更し易いシステムを迅速に提供することができる。
【０００８】
表示方法について具体例で示すと、作成されたオンラインで所定の周期、例えば、0.1秒周期で時系列に収集・記録した運行データに基づき、少なくとも乗り場呼び継続時間，利用人数，稼働台数の計測結果データを記憶する。前記記憶したデータに基づいてグラフ作成する場合、乗り場呼び継続時間がスケールオーバーした箇所には、通常と区別できるようにマーク等を付けて表示し、その主な要因である利用人数や稼働台数を共に表示することで、初心者でも容易に運行状況を理解させる表示機能を提供することも目的とするものである。
【発明の効果】
【０００９】
エレベーター納入後の運用時において、それぞれのビルの個性に合った使い勝手仕様の変更や運行状況把握をエレベーター初心者でも容易に行え、利用者からのクレームにも迅速対応でき、運行効率低下によるクレームの未然に防止に役立つといったサービスを提供できるため、ビルの付加価値を高めるといった効果がある。
【００１０】
また本発明によれば、ＷＥＢ技術により構築するために、従来のように大部分の機能をクライアント装置に持たせていると、クライアント装置の数が多い場合には追加・交換等の保守作業に手間が生じていたが、容易に行うことができるといった効果もある。
【発明を実施するための最良の形態】
【００１１】
（実施例）
以下、本発明を実施するための最良の形態を説明するため、複数台のエレベーターを効率良く配車させる群管理エレベーターシステムの一実施例を図面により詳細に説明する。
【００１２】
図１は、本発明を適用した群管理エレベーターシステムの全体構成図を示したものである。まず、複数台のエレベーターを個別に制御するエレベーター制御システム２１０，
２２０，２ｎ０と、各エレ−ベーターを、全体の運行効率が最適となるように運行を制御する群管理制御システム１００と、前記制御システムから送信された画面データを表示し、かつ、表示仕様や各使い勝手仕様項目の要求を行うクライアント装置を備えている。
【００１３】
エレベーター制御システム２１０，２２０，…２ｎ０は、群管理制御システム内の運行管理制御系１０１による制御の下で、自動運転や手動運転等といったエレベーターの運転方式に合った運転を行う運転制御系２１３と、主にモーター制御を行う速度制御２１４により各エレベーターの運行を個別に制御する。同時に、各エレベーター毎に、例えば、かご内荷重データやドアの開閉等の各事象の情報を群管理制御システム内の運行管理制御系１０１に送信する構成になっている。ここで群管理運転中は、エレベーター制御システム内の運行管理制御系２１１とＷＥＢサーバ２１２は動作しない構成になっている。
【００１４】
群管理制御システム１００内では、時々刻々と変化するエレベーター情報と乗り場呼び情報等の運行データを学習系１０３へ送信し、前記運行データに基づいて学習系１０３は交通状況を学習し、その時点でどのような運転プログラムが適しているかを判断する。知能系１０４では学習結果を用いて各交通需要に応じた最適な運転プログラムの自動生成を行っている。運行管理制御系１０１では前記運転プログラムを用いて、乗り場呼びに対しどのエレベーターを配車するかを決める割り当て制御を行い、さらにエレベーター制御システムへ乗り場呼びの割り当て指令等を行っている。また運行管理制御系１０１では、
ＷＥＢサーバ１０２に対し、前記運行データを送信し、必要に応じてＷＥＢサーバ１０２からの各種要求をエレベーター制御システム２１０，２２０…２ｎ０へ指令している。
【００１５】
クライアント装置３００内では、例えばパソコン内ディスプレイ３０１上に画面データを表示させるＷＥＢブラウザ３０４から、ＷＥＢサーバ１１２に対して、ユーザー指令の表示内容や各使い勝手仕様項目変更等の要求指令を要求送信部３０２に渡し、前記要求指令等を送信する。ＷＥＢサーバ１０２では要求指令に応じて、運行管理制御系１０１への指令と共に必要な画面データ作成を行い、画面データ受信部３０３に画面データを送信する。画面データ受信部３０３では、ＷＥＢサーバ１０２から受信した画面データをＷＥＢブラウザ３０４に渡す。ＷＥＢブラウザ３０４は画面データに基づいてディプレイ３０１上にグラフィカルな表示を行う構成になっている。
【００１６】
図２は、単独エレベーターにおけるシステム構成図であり、図１と比べ運行管理制御系２１１とＷＥＢサーバ２１２が動作構成となり、容易に単独でも実現できることが分かる。
【００１７】
図３は、本発明の一実施形態による時系列の運行データのテーブル構成を示している。収集日時データテーブル（ＤＡＴＥ）３１は、運行データを収集した日付及び指定された時間帯（収集開始時間と収集終了時間）を記憶する。運行データテーブル(ＴＤＡＴ)３２は、運行データを順次記憶するためのテーブルで、エレベーターのかご状態データテーブル（ＣＰＴ）３２１と、呼び状態データテーブル（ＨＣＴ）３２２とで構成されている。
【００１８】
エレベーターのかご状態テーブル（ＣＰＴ）３２１には、エレベーターの位置，方向、及びかご内荷重等のデータを、各エレベーター別に記憶する。呼び状態データテーブル
（ＨＣＴ）３２２には、乗り場呼び発生時刻，方向別階床毎の乗り場呼び割り当て状況と乗り込み階毎の新規行先階呼び登録状況，呼び継続時間及び乗込み完了時刻等を、呼びの種類毎に記憶している。
【００１９】
数値データテーブル（ＳＤＡＴ）３３は、予め設定した異常現象が発生した場合に、詳細データを順次記憶するためのテーブルで、呼び割り当て評価値テーブル（ＡＳＴ）とパラメータテーブル（ＳＰＴ）とで構成されている。
【００２０】
図５は、ＷＥＢサーバ１０２，２１２内の制御ブロック図を示す。ＷＥＢサーバ１０２，２１２には、データ測定手段に相当する、運行管理制御部１０１，２１１からの運行データに基づいて測定するデータ測定部５１と、データ処理手段に相当する、測定データの統計処理，出力可否判定・出力許可を行うデータ処理部５２，測定中のデータを蓄積するデータ蓄積部５３，クライアント装置への出力手段に相当する、データ処理部５２での処理結果をパソコンなどによって可視化できるクライアント装置への出力部５４，クライアント装置からの入力手段に相当する、クライアント装置からの要求指令を受け取る入力部５５，データ処理部５２の出力可否判定により運行管理制御部１０１，２１１内の仕様変更を行うデータ設定部５６から構成されている。
【００２１】
図６は、データ処理部５２における運行状況表示・使い勝手仕様項目の変更プログラムのフローチャート６００である。本実施例では、出勤といった時間帯にデータを計測し、その利用状況を画面データを作成する場合について説明する。
【００２２】
ステップ６０１では、最初の使い勝手仕様項目を指定し、次のステップ６０２へ進む。
【００２３】
ステップ６０２で指定された使い勝手仕様項目は変更が必要な時間であるかを確認する。
【００２４】
必要がある場合には、ステップ６０３で使い勝手仕様項目の変更処理を行い、必要がなけば、ステップ６０４から６０５へ進み、繰り返し処理を行う。
【００２５】
ステップ６０６で計測データが所定個数以下であるかの確認を行い、所定個数（通常
１２ヶ月は継続して記録・蓄積できる）以下であれば、ステップ６０７へ、それ以上であればステップ６０９へ進む。
【００２６】
ステップ６０７で運行データからエレベーターの運行状況を分析に必要な項目についてデータ計測を行い、ステップ６０８でデータ蓄積部５３によって計測結果を記録する。
【００２７】
ステップ６０９では、クライアント装置から使い勝手仕様項目の変更や計測データの画面データ作成等の各種要求があるかを確認し、要求がない場合には、ステップ６１０と
６１１の処理を行わず終了する。
【００２８】
ステップ６１０で使い勝手仕様項目に関する、例えば出勤時間帯には、待機中のエレベーターを出発基準階へ呼び寄せる要求等がある場合、使い勝手仕様を変更するために必要なデータ設定処理を行っている。
【００２９】
ステップ６１１で表示形式（時間帯，計測データ項目，使い勝手仕様項目）に基づいて計測結果のデータ蓄積部から画面データを作成している。
【００３０】
図７は、図６のデータ設定処理ステップ６１０に関する具体的な一実施例のフローチャート７００である。
【００３１】
ステップ７０１では、最初の使い勝手仕様項目を指定し、次のステップ７０２へ進む。
【００３２】
ステップ７０２では、指定の使い勝手仕様項目は変更要求があるかを確認し、変更要求がなければ、ステップ７０５へ進む。
【００３３】
ステップ７０３で指定の使い勝手仕様項目の操作履歴回数を１カウントアップ処理を行う。この履歴回数は、画面データ作成時において、履歴回数の多い順に表示を行う際に利用するものである。
【００３４】
ステップ７０４で指定の使い勝手仕様項目の設定内容、例えば出勤時間帯であっても、通常仕様の「交通需要に応じて、エレベーターをバランスよく配車する」を、選択仕様の「出勤時には待機中のエレベーターを出発基準階へ呼び寄せる」への設定変更を行っている。
【００３５】
ステップ７０５では、全ての使い勝手仕様項目の確認を行い、終了していなけばステップ７０６へと進み、指定項目の要求確認等を行う。
【００３６】
図８は、図６の画面データ作成処理ステップ６１１にて、エレベーター運行状況を分析できる複数の計測結果の画面データ作成の一実施例のフローチャート８００を示す。
【００３７】
ステップ８０１で、図６のステップ６０８にて計測結果か記録されたデータ蓄積部５３のうち、例えば乗り場呼び継続時間，利用人数，稼働台数のデータを表示指定時間帯分に限定して画面データ作成用ワークエリアへ読み込む。ステップ８０２では、特殊な表示条件状況、例えばグラフにて表示した場合にスケールオーバー、または平均値より所定値以上高い数値を示す等の表示区別が必要であるか否かの確認を行う。
【００３８】
ステップ８０３で、区別が必要であれば、画面データ作成用ワークエリア内にある仕様項目に対し、区別必要の目印データを設定する。
【００３９】
ステップ８０４では、画面作成用ワークエリア内容とグラフスケール等の表示仕様に基づいて、少なくとも原稿向き横のＡ４サイズ幅に印字領域が対応できる画面データを生成する。
【００４０】
図９は、図６の図面データ作成処理ステップ６１１にて、エレベーター使い勝手仕様項目の画面データ作成における一実施例のフローチャートを示す。
【００４１】
ステップ９０１では、全使い勝手仕様項目を操作履歴回数が多い順にソートする。
【００４２】
ステップ９０２にて、最初の使い勝手仕様項目を指定し、ステップ９０３にて、例えば全項目に対して変更許可されたスーパーユーザーでは、ステップ９０４，９０６，９０７を繰り返し実行され、通常のユーザーでは９０５，９０６，９０７を繰り返し実行することにより全項目が画面作成用ワークエリアへリードされる。
【００４３】
ステップ９０８では、画面作成用ワークエリア内容とグラフスケール等の表示仕様に基づいて、少なくとも原稿向き横のＡ４サイズ幅に印字領域が対応できるクライアント装置内表示用ディプレイの画面データを生成する。
【００４４】
図１０は、本発明の一実施形態による使い勝手仕様項目のデータテーブル構成を示している。項目タイトル（ＵＴＬ）は、項目タイトルとメーカー推奨の出荷時仕様である標準仕様や選択仕様内容が設定され、各々の使い勝手仕様に必要な、例えば指定時間帯，階床名等のデータ設定情報を設定データ（ＵＤＡＴ）に記憶する。各々の取扱許可レベル（例えば読み書き・表示可否）に応じた情報が記録されるレベル（ＵＬＶＬ）と、取扱許可レベルの操作回数も含めた操作状況、例えばエレベーター保守会社により設定済み項目は、ユーザーの操作は読み取り専用レベルへ変更等といったときに使用する情報が記憶された操作情報（ＵＩＮＦＯ）がある。
【００４５】
図１１は、図８のステップ８０４にて作成する画面データの一実施例、計測項目は３つを指定（上り下り別に計測した階床毎の乗り場呼び継続時間とエレベーター利用人数，平均稼働台数（＝１台当たりの群管理編入時間の総和［台・時間］／計測時間））し、表示スケールを標準選択にし、例えば乗り場呼び継続が長くなる主な要因であるエレベーターの利用人数や稼働台数と共にした表示形式として、以下に詳細を説明する。
【００４６】
この図１１に示す画面データの表示例は、図１における群管理エレベーターシステム
１００に基づいて、時間帯１０：００〜１０：３０までのエレベーター稼働状況のモニター状態を示す図として構成され、現在日時を表示するエリアＮＷＴＭと、表示内容タイトルを表示するエリアＷＴと、稼働状況を表示する時間帯表示エリアＳＴＭ，タイトル表示エリアであるＤＴ１とＤＴ２，表示スケールの説明を表示するエリアＤＳ１とＤＳ２、計測データとテーブルタグとキャラクタを用いて作成したグラフを組み合わせ表示するエリアＡＤＴＢＬ１とＡＤＴＢＬ２、階床毎の表示を必要しない計測項目のタイトルと計測データを組み合わせ表示するエリアＢＤＴ１，印刷の開始決定する手段である印刷ボタン
ＰＲＴ，画面データのダウンロード開始決定する手段であるダウンロードボタンＤＬ，上の画面へ戻るを決定する手段である上の画面へ戻るボタンＲＴＮが各々設けられている。
【００４７】
さらに１日の利用状況，時間帯毎の利用状況を知りたいユーザーには、具体的な例を図１２に示すが、指定した計測結果の項目から、上り下り方向を合わせた全階床の合計値または平均値として時間帯に並べて表示することにより、一目にて的確に把握することできる。
【００４８】
また１月の利用状況，曜日毎の利用状況等を知りたいユーザーには、具体的な例を図
１３に示すが、１日単位毎の合計値または平均値として日付順に並べて表示することによって、こちらも同様に一目にて的確かつ容易に知ることできる。
【００４９】
図１４には、図１１にて乗り場呼び継続時間におけるグラフ１マススケールを変更した場合を示す。
【００５０】
ここで最下階において、上り方向の乗り場呼び継続時間がスケールオーバーを示しているため、文字サイズ大かつ＊（アスタリスクマーク）ＣＨＫＭ付けることにより通常値と区別できる工夫がされている。
【００５１】
図１５には、図９のステップ９０６にて作成する画面データの一実施例，操作回数に応じて使い勝手勝手仕様項目の設定内容が一覧して確認できるようになっている。
【００５２】
図１６は、図１５において仕様内容を変更したい場合に、設定画面へＳＥＴＭボタンを押下したときに表示されるエレベーター使い勝手仕様状況の一実施例を示したのものである。
【図面の簡単な説明】
【００５３】
【図１】本発明が適用された群管理システムの全体構成図である。
【図２】本発明が適用された単独エレベーター制御システムの全体構成図である。
【図３】本発明の一実施形態による運行データのテーブル構成図である。
【図４】本発明の一実施形態例によるかご，呼び状態データに関するテーブル構成図である。
【図５】本発明のＷＥＢサーバ内制御ブロック図である。
【図６】本発明のＷＥＢサーバ内制御ブロック図におけるデータ処理部のフローチャートである。
【図７】本発明の使い勝手仕様項目データ設定の一実施例のフローチャートである。
【図８】本発明の画面データ作成の一実施例のフローチャート（１）である。
【図９】本発明の画面データ作成の一実施例のフローチャート（２）である。
【図１０】使い勝手仕様項目におけるテーブル構成図である。
【図１１】本発明の画面データの一実施例（１）である。
【図１２】本発明の画面データの一実施例（２）である。
【図１３】本発明の画面データの一実施例（３）である。
【図１４】本発明の画面データの一実施例（４）である。
【図１５】本発明の画面データの一実施例（５）である。
【図１６】本発明の画面データの一実施例（６）である。
【図１】
2007091354.tif 000003
【図２】
2007091354.tif 000004
【図３】
2007091354.tif 000005
【図４】
2007091354.tif 000006
【図５】
2007091354.tif 000007
【図６】
2007091354.tif 000008
【図７】
2007091354.tif 000009
【図８】
2007091354.tif 000010
【図９】
2007091354.tif 000011
【図１０】
2007091354.tif 000012
【図１１】
2007091354.tif 000013
【図１２】
2007091354.tif 000014
【図１３】
2007091354.tif 000015
【図１４】
2007091354.tif 000016
【図１５】
2007091354.tif 000017
【図１６】
2007091354.tif 000018